(57)【要約】【課題】抽出部への加熱未完了液体の供給を防止しつつ、加熱未完了液体、高温の液体及び蒸気が戻り流路を介して還流しても、使用者の負傷等を防止できる飲料抽出機の提供。【解決手段】送液路６の加熱部１２と抽出部２との間に配設される弁機構９０は、流入口９１を介して弁機構９０に流入する液体の圧力が、第１設定圧力未満のときは別流路側流出口９３及び抽出部側流出口９２を閉状態とする全閉状態、第１設定圧力以上第２設定圧力未満のときは別流路側流出口９３を開状態とし且つ抽出部側流出口９２を閉状態とする別流路開状態、第２設定圧力以上の圧力に設定される第３設定圧力以上のときは別流路側流出口９３を閉状態とし且つ抽出部側流出口９２を開状態とする抽出部開状態に切替え可能に構成され、送液路６における貯留タンク８と送液ポンプ１１との間と、別流路側流出口９３とを接続する戻り流路９４が設けられている飲料抽出機。【選択図】図６
2014061086.tif 000002
【特許請求の範囲】
【請求項１】
液体を貯留する貯留タンクと、被抽出材料を装入する開口部を開閉自在な蓋体を備えた抽出部と、前記貯留タンクと前記抽出部とを連通する送液路と、前記送液路に配設され且つ前記貯留タンクに貯留された液体を加圧して前記送液路を介して前記抽出部に供給する送液ポンプと、前記送液路における前記送液ポンプの下流側に配設され且つ前記抽出部に供給する液体を加熱する加熱部とを備えた飲料抽出機であって、
前記送液路の前記加熱部と前記抽出部との間に、前記加熱部からの液体が流入する流入口、当該流入口から流入した液体を抽出部側に流出させる抽出部側流出口及び前記抽出部側とは別の流路に流出させる別流路側流出口を備えた弁機構を備え、
前記弁機構は、前記流入口を介して前記弁機構に流入する液体の圧力が、第１設定圧力未満のときは前記別流路側流出口及び前記抽出部側流出口を閉状態とする全閉状態、前記第１設定圧力以上第２設定圧力未満のときは前記別流路側流出口を開状態とし且つ前記抽出部側流出口を閉状態とする別流路開状態、前記第２設定圧力以上の圧力に設定される第３設定圧力以上のときは前記別流路側流出口を閉状態とし且つ前記抽出部側流出口を開状態とする抽出部開状態に切替えることができるように構成され、
前記送液路における前記貯留タンクと前記送液ポンプとの間と、前記別流路側流出口とを接続する前記別の流路としての戻り流路が設けられている飲料抽出機。
【請求項２】
液体を貯留する貯留タンクと、被抽出材料を装入する開口部を開閉自在な蓋体を備えた抽出部と、前記貯留タンクと前記抽出部とを連通する送液路と、前記送液路に配設され且つ前記貯留タンクに貯留された液体を加圧して前記送液路を介して前記抽出部に供給する送液ポンプと、前記送液路における前記送液ポンプの下流側に配設され且つ前記抽出部に供給する液体を加熱する加熱部とを備えた飲料抽出機であって、
前記送液路の前記加熱部と前記抽出部との間に、前記加熱部からの液体が流入する流入口、当該流入口から流入した液体を抽出部側に流出させる抽出部側流出口及び前記抽出部側とは別の流路に流出させる別流路側流出口を備えた弁機構を備え、
前記弁機構が、前記流入口を介して前記弁機構に流入する液体の温度が、第１設定温度未満のときは前記別流路側流出口及び前記抽出部側流出口を閉状態とする全閉状態、前記第１設定温度以上第２設定温度未満のときは前記別流路側流出口を開状態とし且つ前記抽出部側流出口を閉状態とする別流路開状態、前記第２設定温度以上の温度に設定される第３設定温度以上のときは前記別流路側流出口を閉状態とし且つ前記抽出部側流出口を開状態とする抽出部開状態となるように構成され、
前記送液路における前記貯留タンクと前記送液ポンプとの間と、前記別流路側流出口とを接続する前記別の流路としての戻り流路が設けられている飲料抽出機。
【請求項３】
前記貯留タンクの下部が、本体に設けられたタンク受け部に取り付けられ、
前記戻り流路の一端側が、前記送液路における前記貯留タンクと前記送液ポンプとの間に位置する前記タンク受け部に接続されている請求項１又は２に記載の飲料抽出機。
【請求項４】
前記貯留タンクの下部に設けられたタンク側連結部が、前記タンク受け部に着脱自在に構成され、
前記戻り流路の一端側が、前記タンク受け部の下部に接続されている請求項３に記載の飲料抽出機。
【請求項５】
前記送液ポンプ及び前記加熱部の運転を制御する制御部を備え、
前記制御部が、前記加熱部の温度を計測する温度計測部により計測された計測温度が所定の抽出温度に到達するまで前記加熱部を作動させる加熱運転と、前記計測温度が前記所定の抽出温度以上となった後に、前記送液ポンプを作動させて、前記加熱部にて加熱された液体を前記抽出部に送出する送出運転とを実行させるように構成され、
前記加熱運転時には、前記弁機構が前記全閉状態から前記別流路開状態に移行するように構成され、前記送出運転時には、前記弁機構が前記別流路開状態から前記抽出部開状態に移行するように構成されている請求項１から４のいずれか１項に記載の飲料抽出機。
【請求項６】
請求項１から５のいずれか１項に記載の飲料抽出機の運転方法であって、
前記弁機構が前記別流路開状態のときは、前記加熱部からの液体を前記別流路側流出口を介して前記戻り流路側に通流させ、当該戻り流路を介して前記送液路における前記貯留タンクと前記送液ポンプとの間に還流し、前記弁機構が前記抽出部開状態のときは、前記加熱部からの液体を前記抽出部側流出口を介して前記送液路の抽出部側に通流させ、前記抽出部に供給する飲料抽出機の運転方法。
【発明の詳細な説明】
【技術分野】
【０００１】
本発明は、液体を貯留する貯留タンクと、被抽出材料を装入する開口部を開閉自在な蓋体を備えた抽出部と、貯留タンクと抽出部とを連通する送液路と、送液路に配設され且つ貯留タンクに貯留された液体を加圧して送液路を介して抽出部に供給する送液ポンプと、送液路における送液ポンプの下流側に配設され且つ抽出部に供給する液体を加熱する加熱部とを備えた飲料抽出機及びその飲料抽出機の運転方法に関する。
【背景技術】
【０００２】
かかる飲料抽出機は、コーヒー、紅茶等の飲料を抽出するものであり、液体を加熱すると共に加圧して被抽出材料を装入した抽出部に供給するので、被抽出材料に含まれる成分を効果的に引き出して、香りや味覚に優れた高品質の飲料を抽出することができる。ちなみに、コーヒーとしては、例えば、プレーンコーヒー、エスプレッソコーヒー等、種々のコーヒーを抽出することができる。
【０００３】
このような飲料抽出機では、送液ポンプを作動させていない場合でも、抽出部に供給する液体を加熱部にて目標加熱温度（抽出温度、例えば、８５℃〜９３℃程度）となるように加熱している間、当該液体の体積膨張及び加熱部と抽出部とを連通する送液路内の圧力上昇により、加熱が十分に行われず目標加熱温度に到達する前の比較的温度の低い液体（例えば、４０℃〜８５℃未満程度の液体、以下、加熱未完了液体という場合がある）が、送液路を介して抽出部に吐出されてしまう問題があった。
【０００４】
そのため、例えば、特許文献１に示す飲料抽出機のように、送液路における加熱部と抽出部との間に弁機構を設け、弁機構から分岐して貯留タンクの上部開口に接続される液戻り流路を設けた構成が提案されている。
この弁機構は、弁機構の上流側（加熱部側）の圧力が第１圧力を越え第２圧力以下のときにのみ送液路の加熱部側から液戻り流路側への液体の通流を許容し、第３圧力を越えたときにのみ送液路の加熱部側から抽出部側への液体の通流を許容するように、通流路を切替え可能に構成されている。即ち、加熱部の加熱により液体の温度が、コーヒーの抽出に十分な目標加熱温度にまで上昇していないとき（第１圧力を越え第２圧力以下の圧力のとき）には、加熱未完了液体を液戻り流路を介して貯留タンク内に還流させて抽出部に供給されるのを防止し、液体の温度がコーヒーの抽出に十分な目標加熱温度に上昇したとき（第３圧力を越えたとき）には、高温の液体（例えば、８５℃〜９３℃程度の液体、以下、加熱完了液体という場合がある）を送液路を介して抽出部に供給させるように構成されている。
これにより、液体を加熱部にて加熱している間に、加熱が十分に行われていない加熱未完了液体が抽出部に供給されるのを防止できるとされている。
【先行技術文献】
【特許文献】
【０００５】
【特許文献１】特表２００７−５１８４４５号公報
【発明の概要】
【発明が解決しようとする課題】
【０００６】
上述の通り、かかる飲料抽出機では、弁機構の上流側の圧力が第１圧力を越え第２圧力以下のときに、弁機構を介して送液路の加熱部側から弁機構の液戻り流路側への液体の通流を許容するため、加熱未完了液体が、弁機構を介して送液路の加熱部側から弁機構の液戻り流路側に通流し、貯留タンクの上部開口を介して当該貯留タンク内に還流されることとなる。
【０００７】
ここで、液戻り流路を介して還流される加熱未完了液体は、抽出部に供給される加熱完了液体よりも低温であるとはいえ、加熱されて目標加熱温度となる前の液体であるから、例えば、４０℃〜８５℃未満程度の比較的高温の液体であり、特に、第２圧力が、液体がコーヒーの抽出に適した目標加熱温度（例えば、８５℃〜９３℃程度）と同程度或いはこれより若干低い温度となったときの圧力付近に設定されている場合等には、８５℃未満程度の非常に高温の液体である。
【０００８】
そのため、このような比較的高温の加熱未完了液体が液戻り流路から貯留タンクの上部開口を介して当該貯留タンク内に還流された際に、使用者が誤って加熱未完了液体に接触すると負傷する可能性があり好ましくない。特に、貯留タンクが飲料抽出機の本体から着脱自在な構成である場合には、貯留タンクが本体から取り外された状態で液戻り流路から加熱未完了液体が還流されると、使用者の意図しない箇所から比較的高温の加熱未完了液体が噴出し、飲料抽出機の周囲に存在する使用者や機器等に飛散して、使用者が負傷したり機器等が破損したりする可能性があり好ましくない。
【０００９】
また、仮に、液体が目標加熱温度になっても加熱部が停止せず、加熱を継続してしまう等の異常状態が発生した場合には、加熱部にて発生した非常に高温の液体及び蒸気が弁機構及び液戻り流路を介して貯留タンク内に還流される虞があり、上述のような使用者の負傷や機器等の破損の生じる可能性が高くなり好ましくない。
【００１０】
本発明は、かかる実情に鑑みてなされたものであり、その目的は、加熱未完了液体が抽出部に供給されるのを防止しながら、加熱未完了液体、高温の液体及び蒸気が戻り流路を介して還流しても、使用者の負傷や機器等の破損を良好に防止し得る飲料抽出機及び飲料抽出機の運転方法を提供することにある。
【課題を解決するための手段】
【００１１】
上記目的を達成するための本発明に係る飲料抽出機は、液体を貯留する貯留タンクと、被抽出材料を装入する開口部を開閉自在な蓋体を備えた抽出部と、前記貯留タンクと前記抽出部とを連通する送液路と、前記送液路に配設され且つ前記貯留タンクに貯留された液体を加圧して前記送液路を介して前記抽出部に供給する送液ポンプと、前記送液路における前記送液ポンプの下流側に配設され且つ前記抽出部に供給する液体を加熱する加熱部とを備えた飲料抽出機であって、その特徴構成は、
前記送液路の前記加熱部と前記抽出部との間に、前記加熱部からの液体が流入する流入口、当該流入口から流入した液体を抽出部側に流出させる抽出部側流出口及び前記抽出部側とは別の流路に流出させる別流路側流出口を備えた弁機構を備え、
前記弁機構は、前記流入口を介して前記弁機構に流入する液体の圧力が、第１設定圧力未満のときは前記別流路側流出口及び前記抽出部側流出口を閉状態とする全閉状態、前記第１設定圧力以上第２設定圧力未満のときは前記別流路側流出口を開状態とし且つ前記抽出部側流出口を閉状態とする別流路開状態、前記第２設定圧力以上の圧力に設定される第３設定圧力以上のときは前記別流路側流出口を閉状態とし且つ前記抽出部側流出口を開状態とする抽出部開状態に切替えることができるように構成され、
前記送液路における前記貯留タンクと前記送液ポンプとの間と、前記別流路側流出口とを接続する前記別の流路としての戻り流路が設けられている点にある。
【００１２】
上記特徴構成によれば、送液路における加熱部の上流側には逆止弁として機能する送液ポンプが配置され、下流側には弁機構が配設されているので、第１設定圧力未満（例えば、大気圧付近）のときは弁機構が全閉状態となり、送液ポンプと弁機構との間は閉鎖空間となる。この閉鎖空間内の送液路に存在する液体を加熱部により加熱すると、当該液体が常温程度から目標加熱温度（所定の抽出温度）に到達するまで温度上昇することに加えて、当該液体の体積膨張により、閉鎖空間内の圧力は次第に上昇する。
従って、弁機構は、流入口を介して弁機構に流入する液体の圧力の上昇に対応して、当該圧力が、第１設定圧力未満のときは別流路側流出口及び抽出部側流出口を閉状態とする全閉状態、第１設定圧力以上第２設定圧力未満のときは別流路側流出口を開状態とし且つ抽出部側流出口を閉状態とする別流路開状態、第２設定圧力以上の圧力に設定される第３設定圧力以上のときは別流路側流出口を閉状態とし且つ抽出部側流出口を開状態とする抽出部開状態に切替わることとなる。
これにより、加熱が開始され、圧力が第１設定圧力以上第２設定圧力未満のときは、弁機構が別流路開状態となり、例えば、加熱未完了液体（目標加熱温度（所定の抽出温度）にまで加熱される前の比較的低温（例えば、４０℃〜８５℃未満程度）の液体）を、加熱部側から別流路側流出口側に通流させ別の流路である戻り流路に通流させることができ、この戻り流路が、別流路側流出口と、送液路における貯留タンクと送液ポンプとの間とを接続しているので、加熱未完了液体を戻り流路を介して貯留タンクと送液ポンプとの間の送液路に還流させることができる。従って、加熱未完了液体を、使用者等が接触することができない送液路内で、しかも、基本的に常時液体が存在する部位に還流することができる。
【００１３】
また、液体が目標加熱温度になっても加熱部が停止せず、加熱を継続し続けてしまう等の異常状態が発生した場合に、加熱部にて発生した非常に高温の液体及び蒸気が弁機構及び戻り流路を介して還流されることがあるが、このような場合であっても、非常に高温の液体及び蒸気を戻り流路を介して貯留タンクと送液ポンプとの間の送液路に還流させることができ、非常に高温の液体及び蒸気を、使用者等が接触することができない送液路内で、しかも、基本的に常時液体が存在する部位に還流することができる。
【００１４】
従って、比較的低温ではあるが使用者が接触すると負傷したり機器等に接触すると破損する可能性のある加熱未完了液体、或いは、異常状態時に発生する高温の液体及び蒸気を、使用者が接触或いは機器等に飛散することが無い状態で戻り流路を介して還流させることができ、使用者の負傷や機器等の破損を良好に防止することができる。
【００１５】
一方で、弁機構の流入口を介して弁機構に流入する液体の圧力が、第２設定圧力以上に設定される第３設定圧力以上のときは、弁機構が抽出部開状態となり、加熱部にて加熱された加熱完了液体（目標加熱温度（所定の抽出温度）にまで加熱された高温の液体（例えば、８９℃〜９３℃程度の液体））を、送液路の加熱部側から抽出部側に通流させることができ、抽出部に供給された高温の液体により抽出部にて飲料を抽出することができる。
【００１６】
よって、加熱未完了液体が抽出部に供給されるのを防止しながら、加熱未完了液体、高温の液体及び蒸気が戻り流路を介して還流しても、使用者の負傷や機器等の破損を良好に防止し得る飲料抽出機を提供することができた。
【００１７】
上記目的を達成するための本発明に係る飲料抽出機は、液体を貯留する貯留タンクと、被抽出材料を装入する開口部を開閉自在な蓋体を備えた抽出部と、前記貯留タンクと前記抽出部とを連通する送液路と、前記送液路に配設され且つ前記貯留タンクに貯留された液体を加圧して前記送液路を介して前記抽出部に供給する送液ポンプと、前記送液路における前記送液ポンプの下流側に配設され且つ前記抽出部に供給する液体を加熱する加熱部とを備えた飲料抽出機であって、その特徴構成は、
前記送液路の前記加熱部と前記抽出部との間に、前記加熱部からの液体が流入する流入口、当該流入口から流入した液体を抽出部側に流出させる抽出部側流出口及び前記抽出部側とは別の流路に流出させる別流路側流出口を備えた弁機構を備え、
前記弁機構が、前記流入口を介して前記弁機構に流入する液体の温度が、第１設定温度未満のときは前記別流路側流出口及び前記抽出部側流出口を閉状態とする全閉状態、前記第１設定温度以上第２設定温度未満のときは前記別流路側流出口を開状態とし且つ前記抽出部側流出口を閉状態とする別流路開状態、前記第２設定温度以上の温度に設定される第３設定温度以上のときは前記別流路側流出口を閉状態とし且つ前記抽出部側流出口を開状態とする抽出部開状態となるように構成され、
前記送液路における前記貯留タンクと前記送液ポンプとの間と、前記別流路側流出口とを接続する前記別の流路としての戻り流路が設けられている点にある。
【００１８】
上記特徴構成によれば、送液路における加熱部の上流側には逆止弁として機能する送液ポンプが配置され、下流側には弁機構が配設されているので、第１設定温度未満（例えば、常温付近）のときは弁機構が全閉状態となり、送液ポンプと弁機構との間は閉鎖空間となる。この閉鎖空間内の送液路に存在する液体を加熱部により加熱すると、当該液体が常温程度から目標加熱温度（所定の抽出温度）に到達するまで温度上昇することに加えて、当該液体の体積膨張により、閉鎖空間内の圧力は次第に上昇する。
弁機構は、液体が常温程度から目標加熱温度（所定の抽出温度）にまで加熱されることに対応して、当該液体の温度が、第１設定温度未満のときは別流路側流出口及び抽出部側流出口を閉状態とする全閉状態、第１設定温度以上第２設定温度未満のときは別流路側流出口を開状態とし且つ抽出部側流出口を閉状態とする別流路開状態、第２設定温度以上の温度に設定される第３設定温度以上のときは別流路側流出口を閉状態とし且つ抽出部側流出口を開状態とする抽出部開状態に切替わることとなる。
これにより、加熱が開始され、温度が第１設定温度以上第２設定温度未満のときは、弁機構が別流路開状態となり、例えば、加熱未完了液体（目標加熱温度（所定の抽出温度）にまで加熱される前の比較的低温（例えば、４０℃〜８５℃未満程度）の液体）を、加熱部側から別流路側流出口側に通流させ別の流路である戻り流路に通流させることができ、この戻り流路が、別流路側流出口と、送液路における貯留タンクと送液ポンプとの間とを接続しているので、加熱未完了液体を戻り流路を介して貯留タンクと送液ポンプとの間の送液路に還流させることができる。従って、加熱未完了液体を、使用者等が接触することができない送液路内で、しかも、基本的に常時液体が存在する部位に還流することができる。
【００１９】
また、液体が目標加熱温度になっても加熱部が停止せず、加熱を継続し続けてしまう等の異常状態が発生した場合に、加熱部にて発生した非常に高温の液体及び蒸気が弁機構及び戻り流路を介して還流されることがあるが、このような場合であっても、非常に高温の液体及び蒸気を戻り流路を介して貯留タンクと送液ポンプとの間の送液路に還流させることができ、非常に高温の液体及び蒸気を、使用者等が接触することができない送液路内で、しかも、基本的に常時液体が存在する部位に還流することができる。
【００２０】
従って、比較的低温ではあるが使用者が接触すると負傷したり機器等に接触すると破損する可能性のある加熱未完了液体、或いは、異常状態時に発生する高温の液体及び蒸気を、使用者が接触或いは機器等に飛散することが無い状態で戻り流路を介して還流させることができ、使用者の負傷や機器等の破損を良好に防止することができる。
【００２１】
一方で、弁機構の流入口を介して弁機構に流入する液体の温度が、第２設定温度以上に設定される第３設定温度以上のときは、弁機構が抽出部開状態となり、加熱部にて加熱された加熱完了液体（目標加熱温度（所定の抽出温度）にまで加熱された高温の液体（例えば、８９℃〜９３℃程度の液体））を、送液路の加熱部側から抽出部側に通流させることができ、抽出部に供給された高温の液体により抽出部にて飲料を抽出することができる。
【００２２】
よって、加熱未完了液体が抽出部に供給されるのを防止しながら、加熱未完了液体、高温の液体及び蒸気が戻り流路を介して還流しても、使用者の負傷や機器等の破損を良好に防止し得る飲料抽出機を提供することができた。
【００２３】
本発明に係る飲料抽出機の更なる特徴構成は、前記貯留タンクの下部が、本体に設けられたタンク受け部に取り付けられ、
前記戻り流路の一端側が、前記送液路における前記貯留タンクと前記送液ポンプとの間に位置する前記タンク受け部に接続されている点にある。
【００２４】
上記特徴構成によれば、戻り流路の一端側は、貯留タンクと送液ポンプとの間における送液路において、本体のタンク受け部に取り付けられた貯留タンクの下部に位置する箇所に接続されることとなり、当該箇所には貯留タンクから供給される液体が常時存在しているため、戻り流路の一端側から加熱未完了液体や高温の液体及び蒸気が還流されても、これら加熱未完了液体や高温の液体及び蒸気を、常時存在する液体により確実に冷却でき、且つ、当該液体を介して貯留タンク内に還流させることができる。
【００２５】
本発明に係る飲料抽出機の更なる特徴構成は、前記貯留タンクの下部に設けられたタンク側連結部が、前記タンク受け部に着脱自在に構成され、
前記戻り流路の一端側が、前記タンク受け部の下部に接続されている点にある。
【００２６】
上記特徴構成によれば、戻り流路の一端側が本体のタンク受け部に接続されているので、仮に貯留タンクがタンク受け部から取り外されている場合であっても、タンク受け部に常時貯留されている液体により、戻り流路の一端側から還流される加熱未完了液体や高温の液体及び蒸気を確実に冷却できる。特に、戻り流路の一端側は、タンク受け部の下部に接続されているので、戻り流路の一端側から還流された加熱未完了液体や高温の液体及び蒸気と、タンク受け部内に常時貯留する液体との熱交換をより確実に行わせることができ、より一層確実な冷却を行うことができる。
【００２７】
本発明に係る飲料抽出機の更なる特徴構成は、前記送液ポンプ及び前記加熱部の運転を制御する制御部を備え、
前記制御部が、前記加熱部の温度を計測する温度計測部により計測された計測温度が所定の抽出温度に到達するまで前記加熱部を作動させる加熱運転と、前記計測温度が前記所定の抽出温度以上となった後に、前記送液ポンプを作動させて、前記加熱部にて加熱された液体を前記抽出部に送出する送出運転とを実行させるように構成され、
前記加熱運転時には、前記弁機構が前記全閉状態から前記別流路開状態に移行するように構成され、前記送出運転時には、前記弁機構が前記別流路開状態から前記抽出部開状態に移行するように構成されている点にある。
【００２８】
上記特徴構成によれば、制御部が温度計測部の計測温度が所定の抽出温度に到達するまで加熱部を作動させる加熱運転を実行させるように構成され、加熱運転時には、弁機構が全閉状態から別流路開状態に移行するように構成されているので、少なくとも加熱未完了液体（目標加熱温度（所定の抽出温度）にまで加熱される前の比較的低温（例えば、４０℃〜８５℃未満程度）の液体）を、加熱部側から別流路側流出口側に通流させ戻り流路に通流させて、貯留タンクと送液ポンプとの間の送液路に還流させることができる。従って、加熱未完了液体を、使用者等が接触することができない送液路内で、しかも、基本的に常時液体が存在する部位に還流することができる。
また、制御部が、計測温度が所定の抽出温度以上となった後に、送液ポンプを作動させて、加熱部にて加熱された液体を抽出部に送出する送出運転を実行させるように構成され、送出運転時には、弁機構が別流路開状態から抽出部開状態に移行するように構成されているので、加熱部にて加熱された加熱完了液体（目標加熱温度（所定の抽出温度）にまで加熱された高温の液体（例えば、８９℃〜９３℃程度の液体））を、送液路の加熱部側から抽出部側に通流させることができ、抽出部に供給された高温の液体により抽出部にて飲料を抽出することができる。
なお、制御部は、操作部等からの単一の指令に応じて、加熱運転を実行させた後、送出運転を連続的に実行させる構成であってもよいし、操作部等からの個別の指令、即ち、加熱運転を実行すべき旨の指令、送出運転を実行すべき旨の指令のそれぞれに応じて、加熱運転を実行させた後、送出運転を実行させる構成であってもよい。
【００２９】
本発明に係る飲料抽出機の運転方法の特徴構成は、上記特徴構成のいずれかを備えた飲料抽出機の運転方法であって、
前記弁機構が前記別流路開状態のときは、前記加熱部からの液体を前記別流路側流出口を介して前記戻り流路側に通流させ、当該戻り流路を介して前記送液路における前記貯留タンクと前記送液ポンプとの間に還流し、前記弁機構が前記抽出部開状態のときは、前記加熱部からの液体を前記抽出部側流出口を介して前記送液路の抽出部側に通流させ、前記抽出部に供給する点にある。
【００３０】
上記特徴構成によれば、弁機構が別流路開状態のときには、例えば、加熱部からの加熱未完了液体（目標加熱温度（所定の抽出温度）にまで加熱される前の比較的低温（例えば、４０℃〜８５℃未満程度）の液体）を別流路側流出口を介して戻り流路側に通流させ、当該戻り流路を介して貯留タンクと送液ポンプとの間の送液路に還流させることができる。従って、加熱未完了液体は、使用者等が接触することができない送液路内で、しかも、基本的に常時液体が存在する部位に還流されることとなる。
また、弁機構が抽出部開状態のときには、加熱部からの加熱完了液体（目標加熱温度（所定の抽出温度）にまで加熱された高温の液体（例えば、８９℃〜９３℃程度の液体））を抽出部側流出口を介して送液路の抽出部側に通流させ、抽出部に供給することができる。
【図面の簡単な説明】
【００３１】
【図１】コーヒーメーカの斜視図
【図２】蓋体が開放状態のコーヒーメーカの斜視図
【図３】蓋体が開放状態でポッドホルダ及び注ぎ口部材を離脱した状態でのコーヒーメーカの一部分解斜視図
【図４】コーヒーメーカの縦断左側面図
【図５】タンクを取り外した状態でのコーヒーメーカの平面図
【図６】コーヒーメーカの制御構成を示すブロック図
【図７】弁機構の構成及び動作を示す概略断面視図
【図８】蓋体が閉鎖状態でポッドホルダ及び注ぎ口部材が装着された状態での抽出部周辺の縦断正面図
【図９】蓋ロック機構の作用を説明する図
【発明を実施するための形態】
【００３２】
以下、図面に基づいて、本発明を飲料抽出機の一例としてのコーヒーメーカに適用した場合の実施形態を説明する。
図１〜図５に示すように、コーヒーメーカは、装置本体１（本体の一例）と、この装置本体１に着脱自在な水（液体の一例）貯留用のタンク８（貯留タンクの一例）とを備えて構成されている。なお、以下では、液体の一例としての水は、湯である場合であっても区別せずに水と記載することがある。図２〜図５に示すように、装置本体１には、コーヒー粉（被抽出材料の一例）Ｑを装入する抽出室３を形成する抽出部基体５０及び抽出室３の開口部４を開閉自在な蓋体５を備えた抽出部２、タンク８と抽出部２とを連通する送液路６、送液路６に配設され且つタンク８に貯留された水を加圧して送液路６を介して抽出部２に供給するポンプ（送液ポンプの一例）１１、送液路６におけるポンプ１１の下流側に配設され且つ抽出部２に供給する水を加熱する湯沸し部（加熱部の一例）１２、及び、開口部４を閉鎖する閉鎖位置（図１及び図４参照）に蓋体５を保持するロック状態（図９（ａ）参照）と当該ロック状態を解除する解除状態（図９（ｂ）参照）とに切り換えることができる蓋ロック機構Ｌ（図９参照）等が組み付けられている。
【００３３】
この実施形態のコーヒーメーカは、図２に示すように、コーヒー豆を挽いたコーヒー粉Ｑが袋状のフィルターペーパ内に封入された所謂カフェポッドＭを、抽出部２に装入する構成となっている。ちなみに、カフェポッドＭには、例えばコーヒーカップ一杯分のコーヒーを抽出するのに必要な量のコーヒー粉Ｑが封入されている。
又、詳細は後述するが、図２〜図４に示すように、開口部４を介して抽出部２の抽出室３内に着脱自在で且つコーヒー粉Ｑが封入されたカフェポッドＭを載置するポッドホルダＨ（材料受け部の一例）が、開口部４を介して抽出部２内に着脱自在に装着されるように構成されている。
【００３４】
図１〜図５に示すように、装置本体１は、外郭が外郭部材１０にて覆われて構成され、外郭部材１０の内部に収納空間７が形成されており、外郭部材１０の前方上部から前方に張り出す形態で抽出部２を備え、抽出部２に上下方向で対向する状態で前方下部から前方に突出する容器載せ台９を備え、詳細は後述するが、外郭部材１０の後方下部に後方に突出するタンク装着用のタンク載せ台１Ａを備えている。
詳細は後述するが、抽出部２には、注ぎ口３３を備えた注ぎ口部材３０が挿脱自在に装着できるように構成されている。
そして、タンク載せ台１Ａにタンク８を装着し、カフェポッドＭを抽出部２に装入して、蓋体５を閉鎖位置に位置させた状態で蓋ロック機構Ｌをロック状態に切り換えて湯沸し部１２及びポンプ１１を適切に作動させると、抽出部２に湯が加圧供給されてコーヒーが抽出され、容器載せ台９に載置したコーヒーカップ（図示省略）に注ぎ口部材３０の注ぎ口３３からコーヒーが注がれる。
尚、以下の説明では、コーヒーメーカを水平な台上に載置した状態で、抽出部２が張り出す方向を前方として、各方向を定義する。即ち、抽出部２の張り出し方向とは反対方向を後方と定義し、前面視で左右方向を定義する。
【００３５】
次に、コーヒーメーカの各部について、詳細に説明する。
図１〜図５に示すように、装置本体１は、外郭部材１０を台部８５上に組み付けて構成されている。外郭部材１０は、収納空間７の上方の前方側部分を囲う抽出部基体５０、収納空間７の前方及び下方を囲う前方側囲い部材１００、並びに、収納空間７の左右両側方、後方及び上方の後方側部分を囲う後方側囲い部材８０を組み付けて構成されている。後方側囲い部材８０の後方下部には後方に突出するタンク載せ台１Ａが一体形成され、当該タンク載せ台１Ａは台部８５の後方側の上部に位置するように配設されている。ちなみに、外郭部材１０を構成する抽出部基体５０、前方側囲い部材１００、後方側囲い部材８０及び台部８５は、合成樹脂の成型加工により形成される。
【００３６】
図４及び図５に示すように、タンク載せ台１Ａの上面には、当該上面から下方側へ窪み形成された円筒状のタンク受け（タンク受け部の一例）１７が設けられている。タンク受け１７内の下部側の位置には、タンク受け１７内から送液路６側に水を通過可能な網状のフィルタ部材１７ａが設けられ、フィルタ部材１７ａの中央部には、上方側に突出する概略円錐形状の突出体１７ｂが固設されている。また、タンク受け１７におけるフィルタ部材１７ａの下部は、後述する流量センサ１９の上流側の送液路６と連通接続されている。なお、タンク受け１７内には、タンク８が装着されているか否かに拘わらず、ほぼ常に、タンク載せ台１Ａの上面或いは当該上面からやや下方に対応する高さ位置まで水が貯留されている。
タンク載せ台１Ａの前方側から上方に延びる後方側囲い部材８０における後方側の上側部分には、前方側及び下方側に凹む固定用凹部８１が形成されており、後述するタンク８の前方側の上部に形成され下方側に突出する突出部８Ａが当該固定用凹部８１に入り込んで、タンク８の位置決めを行うことができるように構成されている。
【００３７】
タンク８は、平面視で半円形状に形成され上下方向に長い中空状の合成樹脂製のタンクで構成されており、タンク８の上部には開閉自在な蓋部８Ｂを備え、タンク８の下部にはタンク受け１７に着脱自在な円筒状のタンク側連結部８Ｃを備えている。タンク８の内部と外部とは、タンク側連結部８Ｃ内に形成された連通孔８Ｄを介して連通されている。タンク側連結部８Ｃ内には、通常時は、付勢部材（図示省略）による下方側への付勢力を受けて連通孔８Ｄを水密に閉塞する弁体８Ｅを備え、弁体８Ｅは、タンク８がタンク受け１７に装着されると、タンク受け１７内に固設された突出体１７ａにより付勢部材の付勢力に逆らって上方側に移動操作されて、連通孔８Ｄを開放するように構成されている。
従って、タンク８のタンク側連結部８Ｃがタンク載せ台１Ａのタンク受け１７内に入り込み装着されると、タンク８はタンク受け１７に倒立状態で装着され、連通孔８Ｄを介してタンク８内とタンク受け１７とが、即ち、タンク８内と送液路６とが連通し、タンク受け１７から送液路６側に水が送出されるのに伴って、タンク８の連通孔８Ｄを介してタンク受け１７に水が流下する構成となっている。
【００３８】
図４及び図６に示すように、装置本体１の収納空間７内に、タンク８と抽出部２とを接続する送液路６と、タンク８内の水を抽出部２に送出するポンプ１１と、水を一時貯留して加熱する湯沸し部１２と、送液路６の湯沸し部１２と抽出部２との間に設けられる弁機構９０とを備えて構成されている。
【００３９】
送液路６は、内部を水が通流可能な可撓性で耐熱性のチューブにより構成され、タンク受け１７の下部と蓋体５の内蓋６６に設けられた円盤状の押圧部７０（図８参照）とに接続された状態で、タンク８と抽出部２とを連通し、装置本体１内に引き回されて設けられている。送液路６には、上流側から下流側に向けて、タンク受け部１７、送液路６を通流する水の流量を検出する容積式の流量センサ１９、ポンプ１１、一次側（ポンプ１１からの流入側）の圧力を所定の設定供給圧力以下に維持するように構成された逃がし弁２０、湯沸し部１２、弁機構９０が配設されている。
【００４０】
ポンプ１１は、公知の送液ポンプにより構成され、上流側から下流側への液体の送出が可能で、下流側から上流側へ液体が通流できない逆止弁として機能するように構成されている。
湯沸し部１２は、水を貯留可能で上下が閉塞された筒状の加熱容器１３内にシーズヒータからなる電気ヒータ１４を設けて構成され、加熱容器１３内の水を電気ヒータ１４により加熱する構成となっている。加熱容器１３の上面部には下流側の送液路６に接続される流出口１３ｂを備え、下面部には上流側の送液路６に接続される流入口１３ａを備えている。ちなみに、加熱容器１３の容量は、例えば、３５０ｃｃ程度である。
湯沸し部１２には、加熱容器１３内の湯水の温度を検出する湯温センサ（温度計測部の一例）１５が備えられ、後述する制御部２４が、湯温センサ１５の計測温度が目標加熱温度（所定の抽出温度）に達すると、電気ヒータ１４の作動を停止するように構成されている。また、湯沸し部１２には、加熱容器１３の外表面の温度を検出してその計測温度に基づいて電気ヒータ１４の作動を強制的に停止するサーモスタット１６が備えられている。
【００４１】
逃がし弁２０の還流口とタンク受け１７の下部（フィルタ部材１７ａの下部）とが還流路２２にて接続されている。そして、逃がし弁２０に流入する水の圧力が設定供給圧力を越えると、流入した水の一部が還流路２２を通してタンク受け１７に戻されることにより、逃がし弁２０に流入する水の圧力が設定供給圧力以下に維持されるように構成されている。なお、還流路２２も、送液路６と同様に、内部を水が通流可能な可撓性で耐熱性のチューブにより構成されている。
【００４２】
図４に示すように、装置本体１の外郭部材１０の収納空間７内には、金属製の板材が側面視で概略Ｕ字状に成形されて形成されたフレーム２３が立設され、ポンプ１１、湯沸し部１２及び流量センサ１９は、フレーム２３内に位置させた状態でそのフレーム２３に支持されている。具体的には、フレーム２３は、例えば、上下及び左右方向に沿う壁状の前方側縦壁部７１、当該前方側縦壁部７１の下端部から後方に延びる底壁部７２及び底壁部７２の後端部から上方に延びる後方側縦壁部７３を備えており、湯沸し部１２の両側面は、前方側縦壁部７１と後方側縦壁部７３とに接続部材（図示省略）を介して支持された状態で、当該前方側縦壁部７１と後方側縦壁部７３との間に設けられている。
【００４３】
図６に示すように、コーヒーメーカには、ポンプ１１や湯沸し部１２の電気ヒータ１４等の運転を制御する制御部２４が設けられ、更に、図１に示すように、制御部２４に運転制御情報を送信する操作部２５が、装置本体１の上面に設けられている。
【００４４】
図４、図６及び図７に示すように、弁機構９０は、湯沸し部１２と抽出部２との間における送液路６に配設され、湯沸し部１２と抽出部２とを接続する送液路６から戻り流路９４を分岐させるように三又形状に形成されている。弁機構９０には、湯沸し部１２からの水が流入する流入口９１、流入口９１から流入した水を抽出部２側に流出させる抽出部側流出口９２及び抽出部２側とは別の戻り流路（別の流路の一例）９４に流出させる別流路側流出口９３が形成されている。
【００４５】
別流路側流出口９３は、上流側に位置する第１別流路側流出口９３ａと下流側に位置する第２別流路側流出口９３ｂとを備えており、第１別流路側流出口９３ａと第２別流路側流出口９３ｂとの間には、第１圧力弁９５が配設されている。第１圧力弁９５は、第１別流路側流出口９３ａと第２別流路側流出口９３ｂとの間において、第１別流路側流出口９３ａの上流側（湯沸し部１２側）から第１弁体９５ａに作用する圧力に応じて、第１弁体９５ａの一端側が第１別流路側流出口９３ａに当接する位置から、第１弁体９５ａの他端側が第２別流路側流出口９３ｂに当接する位置にまで往復移動可能に構成されている。第１圧力弁９５は、第１ばね部材９５ｂの自然状態では、第１ばね部材９５ｂの付勢力により第１別流路側流出口９３ａ側に押し付けられ、第１別流路側流出口９３ａを閉塞するように構成されている。なお、第１弁体９５ａは、一端側が平坦な底面を備えた有底円筒状に形成され、他端側が円錐形状に形成されている。
【００４６】
また、第１圧力弁９５は、第１設定圧力未満のときは、第１弁体９５ａの一端側に設けられたシール部材９５ｃが第１別流路側流出口９３ａの開口周縁部に当接して当該第１別流路側流出口９３ａを水密に閉塞し、且つ、第１弁体９５ａの他端側に設けられたシール部材９５ｄが第２別流路側流出口９３ｂの開口周縁部と離間して当該第２別流路側流出口９３ｂを開放する。
第１設定圧力以上第２設定圧力未満のときは、第１弁体９５ａの一端側に設けられたシール部材９５ｃが第１別流路側流出口９３ａの開口周縁部と離間して当該第１別流路側流出口９３ａを開放し、且つ、第１弁体９５ａの他端側に設けられたシール部材９５ｄが第２別流路側流出口９３ｂの開口周縁部と離間して当該第２別流路側流出口９３ｂを開放する。
第２設定圧力以上（第２設定圧力以上に設定された第３設定圧力以上）のときは、第１弁体９５ａの一端側に設けられたシール部材９５ｃが第１別流路側流出口９３ａの開口周縁部と離間して当該第１別流路側流出口９３ａを開放し、且つ、第１弁体９５ａの他端側に設けられたシール部材９５ｄが第２別流路側流出口９３ｂの開口周縁部に当接して当該第２別流路側流出口９３ｂを水密に閉塞する。なお、本実施形態では、第３設定圧力は第２設定圧力と同圧力に設定されている。
【００４７】
従って、第１圧力弁９５は、第１設定圧力未満のときは、送液路６から戻り流路９４への水の通流を遮断し、第１設定圧力以上第２設定圧力未満のときは、送液路６から戻り流路９４への水の通流を許容し、第２設定圧力以上のときは、送液路６から戻り流路９４への水の通流を遮断するように構成されている。なお、このような構成を実現するため、第１ばね部材９５ｂのばね定数は適切なばね定数に設定されている。
【００４８】
抽出部側流出口９２の下流側（抽出部２側）には、第２圧力弁９６が配設されている。第２圧力弁９６は、抽出部側流出口９２の上流側（湯沸し部１２側）から第２弁体９６ａに作用する圧力に応じて、第２弁体９６ａの一端側が抽出部側流出口９２に当接する位置から所定間隔で離間する位置にまで往復移動可能に構成されている。第２圧力弁９６は、第２ばね部材９６ｂの自然状態では、第２ばね部材９６ｂの付勢力により抽出部側流出口９２側に押し付けられ、抽出部側流出口９２を閉塞するように構成されている。なお、第２弁体９６ａは、一端側が平坦な面を備えた板状に形成され、他端側が棒状に形成されている。
【００４９】
また、第２圧力弁９６は、第１設定圧力未満のときは、第２弁体９６ａの一端側に設けられたシール部材９６ｃが抽出部側流出口９２の開口周縁部に当接して当該抽出部側流出口９２を水密に閉塞する。第１設定圧力以上第２設定圧力未満のときも同様に、抽出部側流出口９２を水密に閉塞する。
第２設定圧力以上（第２設定圧力以上に設定された第３設定圧力以上）のときは、第２弁体９６ａの一端側に設けられたシール部材９６ｃが抽出部側流出口９２の開口周縁部と離間して当該抽出部側流出口９２を開放する。
【００５０】
従って、第２圧力弁９６は、第１設定圧力未満のとき、及び、第１設定圧力以上第２設定圧力未満のときは、送液路６の湯沸し部１２側から抽出部２側への水の通流を遮断し、第２設定圧力以上のときは、送液路６の湯沸し部１２側から抽出部２側への水の通流を許容するように構成されている。なお、このような構成を実現するため、第２ばね部材９６ｂのばね定数は適切なばね定数に設定されているが、第２ばね部材９６ｂのばね定数は、第１ばね部材のばね定数よりも大きな値に設定されている。
【００５１】
よって、弁機構９０は、流入口９１を介して弁機構９０に流入する水の圧力が、第１設定圧力未満のときは別流路側流出口９３及び抽出部側流出口９２を閉状態とする全閉状態、第１設定圧力以上第２設定圧力未満のときは別流路側流出口９３を開状態とし且つ抽出部側流出口９２を閉状態とする別流路開状態、第２設定圧力以上のときは別流路側流出口９３を閉状態とし且つ抽出部側流出口９２を開状態とする抽出部開状態に切替えることができるように構成されている。
【００５２】
第１設定圧力及び第２設定圧力は、適宜の圧力に設定することができるが、本実施形態では、第１設定圧力は、例えば、０．５気圧（ゲージ圧）程度に設定され、第２設定圧力は、例えば、１気圧（ゲージ圧）に設定されており、湯温センサ１５の計測温度が目標加熱温度（所定の抽出温度）となったときの湯沸し部１２内の圧力は、第１設定圧力以上第２設定圧力未満となるように設定されている。
【００５３】
戻り流路９４は、送液路６と同様に、内部を水が通流可能な可撓性で耐熱性のチューブにより構成され、一端側が、送液路６におけるタンク８と流量センサ１９との間に位置するタンク受け１７の下部（フィルタ部材１７ａの下部）と、別流路側流出口９３とを接続するように設けられている。
【００５４】
次に、抽出部２について説明する。図２〜図４に示すように、収納空間７の前方及び下方を囲う前方側囲い部材１００は、収納空間７の前方を囲う前壁部１１０と、その前壁部１１０の下端から後方に延びて、収納空間７の下方を覆う収納空間底部１２０と、その前壁部１１０の上端から前方に張り出して抽出部２の下方を覆う下部覆い部１３０とを備えて構成されている。
図１〜図４に示すように、下部覆い部１３０には、注ぎ口部材３０を挿脱するための挿脱口１３１が、前面から底面にわたって開く形態で形成されている。
図３及び図４に示すように、注ぎ口部材３０は、受入開口部３１を備えた概略箱状に構成され、その受入開口部３１の開口縁を水平方向に沿わせた姿勢で、挿脱口１３１を通して下部覆い部１３０内に挿入されて装着される。
注ぎ口部材３０の底面３２の先端側には、軸心方向の全長にわたって延びるスリットを備えた割れ筒状部３４が立設され、底面３２の基端側には、筒状の注ぎ口３３が設けられており、当該底面３２（割れ筒状部３４内の底面も含む）は、割れ筒状部３４側から注ぎ口３３側に向かうに連れて下方側に傾斜する前下がり傾斜面となるように形成されている。尚、割れ筒状部３４のスリットは、基端側、即ち、注ぎ口３３側に向かって開くように形成されている。
【００５５】
図２、図３及び図８に示すように、抽出部基体５０には、下方に椀状に窪むと共に、底部の中央部に下方側に貫通する貫通口５４を備えた窪み部５３が設けられ、更に、抽出部基体５０の上面における窪み部５３の窪み開口部５５の左右両側には、上方に突出すると共に前後方向に長い突条部５６が設けられ（図２、図３、図９参照）、その各突条部５６の前方向きの端面には、後方に向かって窪む後向き凹部５７が備えられている。
【００５６】
ポッドホルダＨは、図３及び図８に示すように、抽出孔４７ｈを有する外側筒状部４１が底部の中央部に形成される概略椀状のホルダ本体４０と、中央部に内側筒状部４８ｐが形成されホルダ本体４０内に装着されるポッド受部材４８とを備え、ホルダ本体４０の外側筒状部４１の先端部（外側筒状部４１に内嵌された内側筒状部４８ｐよりも下方側）には、微小な抽出孔４７ｈが形成された抽出孔部材４７が嵌め込まれ、ポッド受部材４８の内側筒状部４８ｐには網状体４９が嵌め込まれている。
【００５７】
ホルダ本体４０は、抽出部基体５０の窪み部５３の窪み開口部５５を介して当該窪み部５３に落とし込み装着することができ、外周部に全周にわたる鍔状部４３を備えた概略椀状に構成されている。
そして、図８に示すように、ホルダ本体４０、抽出孔部材４７、ポッド受部材４８及び網状体４９が上述のように組み付けられて構成されたポッドホルダＨが、抽出部基体５０の窪み部５３の窪み開口部５５を介して窪み部５３に装着され、カフェポッドＭはポッド受部材４８に載置された状態で、ポッドホルダＨに載置されることになる。つまり、抽出部基体５０の窪み部５３の内部が、ポッドホルダＨを収納する抽出部２の抽出室３に構成され、窪み部５３の窪み開口部５５が抽出部２の開口部４として機能するように構成されている。
【００５８】
又、図３に示すように、ホルダ本体４０の鍔状部４３の外周側には、径方向外方に突出する摘み部４４と位置決め用羽根部４５とが周方向にずらした状態で備えられている。ちなみに、抽出部基体５０の窪み部５３に装着するためのホルダ本体４０、即ち、ポッドホルダＨの適正な向きは、摘み部４４が前方側に向く姿勢である。
更に、抽出部基体５０の上面には、ポッドホルダＨを適正な向きで窪み部５３に装着するときに、ポッドホルダＨの摘み部４４及び位置決め用羽根部４５夫々が入り込む位置決め用凹部５８Ａ，５８Ｂが設けられている。
挿脱口１３１を通して注ぎ口部材３０を下部覆い部材１３０内に装着し、ポッドホルダＨを適正な向きで窪み部５３に装着すると、図８に示すように、ホルダ本体４０の外側筒状部４１の先端が注ぎ口部材３０の割れ筒状部３４の上部に入り込む状態となる。そして、ポッドホルダＨに載置されたカフェポッドＭから抽出されたコーヒーは、抽出孔部材４７の微小な抽出孔４７ｈから注ぎ口部材３０の割れ筒状部３４内に噴出してその底面３２に衝突し、泡、所謂クレマが立つ。そのようにクレマが立ったコーヒーは、割れ筒状部３４のスリットを通過し、更に、注ぎ口部材３０の底面３２を流下して、注ぎ口３３から滴下し、コーヒーカップに注がれる。
つまり、抽出部２は、窪み部５３を備えた抽出部基体５０、前方囲い部材１００の下部覆い部１３０及び注ぎ口部材３０等を備えて構成されることになる。
【００５９】
次に、蓋体５について説明する。
図２〜図４、図８に示すように、蓋体５は、その上方を覆う概略ドーム状の蓋上板６２の下方に各部材を組み付けて構成されている。
蓋体５における抽出部基体５０の上面に対向する部分には、蓋体５が閉鎖位置に位置したときに抽出部基体５０の窪み部５３に装着されたポッドホルダＨにおけるホルダ本体４０のホルダ開口部４２を閉鎖するように、内蓋６６が設けられている。その内蓋６６には、複数（この実施形態では５個）の湯口６４ｈを周方向に等間隔で備えた円盤状の押圧部７０が抽出部基体５０に対向するように設けられ、内蓋６６と押圧部７０とはビス（図示省略）により固定されている。尚、複数の湯口６４ｈ夫々は、押圧部７０を各湯口に対応させて部分的に抽出部基体５０側に突出させた突起部に設けられ、図示を省略するが、押圧部７０における湯口６４ｈが夫々設けられた複数の突起部の内側には、湯口６４ｈが設けられていない突起部が設けられている。内蓋６６の抽出部基体５０に対向する面における押圧部７０の外周部には、環状の密封シール部材６５が設けられている。
【００６０】
そして、図８に示すように、蓋体５を閉鎖位置に位置させると、押圧部７０の外周部の密封シール部材６５により、内蓋６６とポッドホルダＨにおけるホルダ本体４０のホルダ開口部４２との間及び押圧部７０とホルダ開口部４２との間が封止される状態で、蓋体５により抽出部２の開口部４が閉鎖される。
そして、送液路６から湯が噴出されると、噴出された湯は、押圧部７０の湯口６４ｈから抽出室３内のカフェポッドＭに噴出される。
【００６１】
送液路６において湯沸し部１２と押圧部７０とを接続するチューブは、可撓性を有する耐熱性の送液チューブにより構成され、蓋体５の揺動を許容するように、弛みを持たせて湯沸し部１２と内蓋６６の中央側上部とに接続されている。
【００６２】
次に、蓋ロック機構Ｌについて説明する。
図４、図８及び図９に示すように、蓋体５の内部空間には、スライド部材６７が、蓋体５が閉鎖位置に位置する状態のときに、抽出部２の開口部４に対向する（即ち、抽出部基体５０の上面に略平行となる）面に沿い且つ蓋体５の揺動軸心Ａ１に直交する方向（即ち、蓋体５の前後方向）に往復移動自在に設けられている。なお、蓋体５は、当該揺動軸芯Ａ１周りで揺動自在に構成されている。
図９に示すように、スライド部材６７には、蓋体５が閉鎖位置に位置する状態でのスライド部材６７の往復移動に伴って、抽出部基体５０の一対の突条部５６夫々の後向き凹部５７に係合、離脱する一対の左右方向に突起する横向き突起部６７ｐ、及び、スライド部材６７をスライド操作するための開閉操作レバー６８を連結する一対の連結孔６７ｈが設けられている。
【００６３】
一対の横向き突起部６７ｐ及び一対の突条部５６は、以下のような相対位置関係で設けられている。即ち、蓋体５が閉鎖位置に位置する状態で、図９（ａ）に示すように、スライド部材６７が前後方向の往復移動範囲における後端の係合位置に位置するときに、各横向き突起部６７ｐが各突条部５６夫々の後向き凹部５７に入り込んで係合状態となり、且つ、図９（ｂ）に示すように、スライド部材６７が前後方向の往復移動範囲における前端の係合解除位置に位置するときに、各横向き突起部６７ｐが各突条部５６夫々の後向き凹部５７から離脱して非係合状態になる相対位置関係である。
【００６４】
図１及び図４に示すように、蓋上板６２には、開閉操作レバー６８を配置するための開口部が設けられ、図９にも示すように、開閉操作レバー６８は、蓋上板６２の開口部内に嵌め込まれた状態で、その後端部が左右方向の軸心Ａ２周りに揺動自在に蓋体５に設けられている。
図９に示すように、その開閉操作レバー６８には、一対のアーム部６８ａが左右方向に振り分けて備えられ、一対のアーム部６８ａの夫々の先端がスライド部材６７の一対の連結孔６７ｈ夫々に嵌まり込む状態で連結されている。
そして、開閉操作レバー６８とスライド部材６７とは、蓋体５が閉鎖位置に位置する状態において、図９（ａ）に示すように、開閉操作レバー６８が前方側に揺動して倒れ姿勢（開閉操作レバー６８の上面が蓋上板６２の上面と面一）になると、スライド部材６７が往復移動範囲後端の係合位置に位置し、図９（ｂ）に示すように、開閉操作レバー６８が後方側に揺動して立ち姿勢になると、スライド部材６７が往復移動範囲前端の係合解除位置に位置するように連結されている。
【００６５】
従って、蓋体５を閉鎖位置に位置させた状態で、開閉操作レバー６８を前向きの揺動により倒して倒れ姿勢とし、スライド部材６７を係合位置に位置させると、一対の横向き突起部６７ｐ夫々が一対の突条部５６の後向き凹部５７夫々に係合されて、蓋体５が閉鎖位置に保持され、蓋ロック機構Ｌがロック状態に切り換えられる。又、そのように蓋ロック機構Ｌがロック状態になっている状態で、開閉操作レバー６８を後ろ向きの揺動により起立させ立ち姿勢とし、スライド部材６７を係合解除位置に位置させると、一対の横向き突起部６７ｐ夫々が一対の突条部５６の後向き凹部５７夫々から離脱して、蓋体５が閉鎖位置に保持される状態が解除され、蓋ロック機構Ｌが解除状態に切り換えられる。
【００６６】
つまり、この実施形態では、蓋ロック機構Ｌが、スライド部材６７、そのスライド部材６７を移動操作する開閉操作レバー６８、抽出部基体５０の一対の突条部５６夫々に夫々設けられた後向き凹部５７、及び、スライド部材６７に設けられた一対の横向き突起部６７ｐを備えて構成されていることになる。
【００６７】
制御部２４は、マイクロコンピュータにより構成され、操作部２５からの制御情報、並びに、湯温センサ１５、サーモスタット１６及び流量センサ１９等のセンサ類の検出情報が入力されると共に、それら制御情報や検出情報の入力情報に基づいて、ポンプ１１、湯沸し部１２の電気ヒータ１４等の作動・停止を制御するように構成されている。
【００６８】
図示を省略するが、操作部２５には、コーヒーメーカの作動を可能にするための電源スイッチ、水充填運転を指令する水充填スイッチ、コーヒーの抽出運転を指令する抽出スイッチ等が備えられている。又、スライド部材６７が係合位置に位置する（即ち、蓋ロック機構Ｌがロック状態に切り換えられる）のに伴ってオンし、係合位置から前進する（即ち、蓋ロック機構Ｌが解除状態に切り換えられる）のに伴ってオフするマイクロスイッチが設けられている。
水充填運転は、湯沸し部１２の加熱容器１３に水を満たす運転であり、このコーヒーメーカを初めて使用するとき等に実行する。又、抽出運転は、コーヒーカップ一杯分に相当する量のコーヒーを抽出する運転である。
予め、抽出運転においてポンプ１１により湯を送出する抽出用目標送出量及び湯沸し部１２にて水を加熱する目標加熱温度（湯温センサ１５で検出される温度の目標）、並びに、水充填運転においてポンプ１１により水を送出する充填用目標送出量が設定され、それら抽出用目標送出量、目標加熱温度及び充填用目標送出量が制御部のメモリー（図示省略）に記憶されている。ちなみに、この実施形態では、抽出用目標送出量は、例えば、１３０ｃｃに設定され、目標加熱温度（所定の抽出温度）は、８５〜９３℃の範囲（例えば、８９℃）に設定されている。又、充填用目標送出量は、タンク８の連通孔８Ｄから内蓋６６に至る送液路６中に満たされる湯水の容量よりも多少多い量に設定される。
【００６９】
制御部２４は、マイクロスイッチがオンになっている状態で水充填スイッチが押されると、ポンプ１１の作動を開始して水充填運転を開始し、以降、流量センサ１９にて検出される流量を積算して、その積算流量が充填用目標送出量に達すると、ポンプ１１の作動を停止して水充填運転を終了するように構成されている。
なお、抽出運転時における弁機構９０の動作については後述するが、弁機構９０が設けられている場合であっても、水充填運転時には、送液路６内（弁機構９０の流入口９１）の圧力が第１設定圧力以上第２設定圧力未満となるようにポンプ１１を作動させることにより弁機構９０を別流路開状態として、ポンプ１１から送出される水を、湯沸し部１２内に充填しつつ、余分な水を弁機構９０の流入口９１及び別流路側流出口９３を介して送液路６に還流させることができる。同様に、水充填運転時には、送液路６内（弁機構９０の流入口９１）の圧力が第２設定圧力以上となるようにポンプ１１を作動させることにより弁機構９０を抽出部開状態として、ポンプ１１から送出される水を、湯沸し部１２内に充填しつつ、余分な水を弁機構９０の流入口９１及び抽出部側流出口９２を介して抽出部２に供給させることもできる。
【００７０】
制御部２４は、マイクロスイッチがオンの状態で、抽出スイッチが押されると、抽出運転を開始し、マイクロスイッチがオフの状態では、抽出スイッチが押されても抽出運転を開始しないように構成されている。尚、抽出運転は、湯沸し部１２の加熱容器１３に水が満たされていることが前提として行われる。例えば、初めて抽出運転を行うときは、その前に、水充填運転を実行することになる。
制御部２４は、マイクロスイッチがオンになっている状態で抽出スイッチが押されると、抽出運転を開始する。即ち、制御部２４は、抽出運転として、電気ヒータ１４を作動させて、湯温センサ１５の計測温度が目標加熱温度（所定の抽出温度）に達すると、電気ヒータ１４の作動を停止する加熱運転を実行し、その後、ポンプ１１を作動させて、流量センサ１９にて検出される流量を積算して、その積算流量が抽出用目標送出量に達すると、ポンプ１１の作動を停止する送出運転を実行するように構成されている。
【００７１】
次に、コーヒーメーカの抽出運転時における弁機構９０の動作について説明する。
上述のとおり、送液路６において湯沸し部１２の上流側はポンプ１１及び逃がし弁２０によって、下流側は弁機構９０によって閉鎖空間とされているため、抽出運転において電気ヒータ１４が作動して加熱運転が開始されると、当該閉鎖空間内に位置する湯沸し部１２内の水の温度が、常温程度から目標加熱温度（所定の抽出温度）に到達するまで上昇することに加えて、湯沸し部１２内の水の体積膨張により、湯沸し部１２内の圧力は次第に上昇して、閉鎖空間内の圧力は次第に上昇する。この圧力上昇は、加熱開始時には大気圧程度であったものが、目標加熱温度となったときには第１設定圧力以上第２設定圧力未満となる。
【００７２】
従って、弁機構９０は、水が常温程度から目標加熱温度（所定の抽出温度）にまで加熱されることに伴う、弁機構９０の流入口９１を介して弁機構９０に流入する水の圧力の上昇に対応して、当該圧力が、第１設定圧力未満のときは別流路側流出口９３及び抽出部側流出口９２を閉状態とする全閉状態、第１設定圧力以上第２設定圧力未満のときは別流路側流出口９３を開状態とし且つ抽出部側流出口９２を閉状態とする別流路開状態に切替わることとなる。
【００７３】
これにより、加熱運転が開始され、圧力が第１設定圧力以上第２設定圧力未満のときは、弁機構９０が全閉状態から別流路開状態に移行し、加熱未完了液体である加熱未完了水（目標加熱温度（所定の抽出温度）にまで加熱される前の比較的低温（例えば、４０℃〜８５℃未満程度）の水）を、湯沸し部１２側から別流路側流出口９３側に通流させ戻り流路９４に通流させることができ、この戻り流路９４が、別流路側流出口９３と、送液路６におけるタンク８とポンプ１１との間とを接続しているので、加熱未完了水を戻り流路９４を介してタンク８とポンプ１１との間の送液路６に還流させることができる。従って、加熱未完了水を、使用者等が接触することができない送液路６内で、しかも、基本的に常時水が存在する部位に還流することができる。
【００７４】
次に、加熱運転が終了して、送出運転が開始されポンプ１１が作動して、圧力が第２設定圧力以上となったときは、弁機構９０が別流路開状態から抽出部開状態に移行し、加熱完了液体である加熱完了水（目標加熱温度（所定の抽出温度）にまで加熱された高温（例えば、８９℃程度）の水）を、湯沸し部１２側から抽出部側流出口９２側に通流させ送液路６の抽出部２側に通流させることができ、抽出部２に供給された高温の加熱完了水により抽出部２にてコーヒーを抽出することができる。
【００７５】
なお、水が目標加熱温度になっても湯沸し部１２が停止せず、加熱を継続し続けてしまう等の異常状態が発生した場合に、湯沸し部１２にて発生した非常に高温の水及び蒸気が弁機構９０及び戻り流路９４を介してタンク８内に還流されることがあるが、このような場合であっても、非常に高温の水及び蒸気を戻り流路９４を介してタンク８とポンプ１１との間の送液路６に還流させることができ、非常に高温の水及び蒸気を、使用者等が接触することができない送液路６内で、しかも、基本的に常時水が存在する部位に還流することができる。
【００７６】
従って、比較的低温ではあるが使用者が接触すると負傷したり機器等に接触すると破損する可能性のある加熱未完了水、或いは、異常状態時に発生する高温の液体及び蒸気を、使用者が接触或いは機器等に飛散することが無い状態で戻り流路９４を介して還流させることができ、使用者の負傷や機器等の破損を良好に防止することができる。
【００７７】
また、戻り流路９４の一端側が装置本体１のタンク受け１７に接続されているので、仮にタンク８がタンク受け１７から取り外されている場合であっても、タンク受け１７に常時貯留されている水により、戻り流路９４の一端側から還流される加熱未完了水や高温の水及び蒸気をより確実に冷却できる。特に、戻り流路９４の一端側は、タンク受け１７の下部に接続されているので、戻り流路９４の一端側から還流された加熱未完了水や高温の水及び蒸気と、タンク受け１７内に常時貯留する水との熱交換をより確実に行わせることができ、より一層確実な冷却を行うことができる。
【００７８】
よって、本発明に係る飲料抽出機及びその飲料抽出機の運転方法によれば、加熱未完了液体が抽出部２に供給されるのを防止しながら、加熱未完了液体、高温の液体及び蒸気が戻り流路９４を介して還流しても、使用者の負傷や機器等の破損を良好に防止することができる。
【００７９】
〔別実施形態〕
（Ａ）上記の実施形態では、弁機構９０を、弁機構９０の上流側（湯沸し部１２側）の圧力に応じて通流路を切替えることができるように、第１圧力弁９５及び第２圧力弁９６を備える構成としたが、流路を適切に切替えることができる構成であれば、その他の圧力弁を採用することもできる。
また、第１圧力弁９５及び第２圧力弁９６の開閉状態を切替える圧力を適宜変更することもできる。上述の実施形態では、第２設定圧力と第３設定圧力とを同圧に設定したが、例えば、第３設定圧力を、第２設定圧力よりも大きな圧力に設定することもできる。例えば、第３設定圧力を、１気圧（ゲージ圧）とし、第２設定圧力を、第１設定圧力である０．５気圧（ゲージ圧）と第３設定圧力である１気圧（ゲージ圧）との間の圧力値に設定することもできる。この場合、第２設定圧力となったときに、第１圧力弁９５は別流路側流出口９３を閉状態とする抽出部開状態となるが、第２圧力弁９６は抽出部側流出口９２を閉状態としたままであり、第３設定圧力となったときに、第１圧力弁９５は別流路側流出口９３を閉状態としたままで、第２圧力弁９６は抽出部側流出口９２を開状態とする抽出部開状態となる。即ち、圧力が、第２設定圧力以上第３設定圧力未満のときは、第１圧力弁９５及び第２圧力弁９６は共に閉状態となる。
さらに、第３設定圧力として、プレーンコーヒーの抽出に好適な圧力（１気圧（ゲージ圧））に設定したが、この圧力を、０．５〜４気圧（ゲージ圧）に設定することもでき、また、第３設定圧力としてエスプレッソコーヒーを抽出するのに好適な圧力に設定することもできる。この際、第２設定圧力は第３設定圧力以下に設定され、第１設定圧力は第３設定圧力未満に設定される。
【００８０】
（Ｂ）上記の実施形態では、弁機構９０を、弁機構９０の上流側（加熱部側）の圧力に応じて通流路を切替えることができるように構成したが、流路を適切に切替えることができる構成であれば、その他の弁機構を採用することもできる。例えば、弁機構が、流入口９１を介して弁機構に流入する液体の温度が、第１設定温度未満のときは別流路側流出口９３及び抽出部側流出口９２を閉状態とする全閉状態、第１設定温度以上第２設定温度未満のときは別流路側流出口９３を開状態とし且つ抽出部側流出口９２を閉状態とする別流路開状態、第２設定温度以上の温度に設定される第３設定温度以上のときは別流路側流出口９３を閉状態とし且つ抽出部側流出口９２を開状態とする抽出部開状態となるように構成することができる。この場合、第１〜第３設定温度は適宜の温度に設定されるが、例えば、第１設定温度を４０℃程度、第２設定温度及び第３設定温度を８５℃（目標加熱温度（所定の抽出温度）と同温度）に設定することができる。
【００８１】
（Ｃ）上記の実施形態では、目標加熱温度（所定の抽出温度）と、第１設定圧力、第２設定圧力及び第３設定圧力との関係を、目標加熱温度（所定の抽出温度）における湯沸し部１２内の圧力が、第１設定圧力以上第２設定圧力未満となるように設定したが、当該関係はこのような設定に限定されるものではない。例えば、目標加熱温度（所定の抽出温度）における湯沸し部１２内の圧力が、第１設定圧力未満となるように設定したり、第３設定圧力以上となるように設定することもできる。
また、例えば、目標加熱温度（所定の抽出温度）における湯沸し部１２内の圧力が、第２設定圧力以上第３設定圧力未満となるように設定することもでき、この場合、上述の別実施形態（Ａ）で示すように、第３設定圧力は第２設定圧力よりも大きな圧力に設定される。
このように設定した場合、湯沸し部１２内の圧力は、加熱開始時には大気圧程度であったものが、抽出運転において加熱運転が開始されて目標加熱温度となり加熱運転が終了すると、第２設定圧力以上第３設定圧力未満となる。この場合、弁機構９０は、圧力の上昇に対応して、当該圧力が、第１設定圧力未満のときは別流路側流出口９３及び抽出部側流出口９２を閉状態とする全閉状態、第１設定圧力以上第２設定圧力未満のときは別流路側流出口９３を開状態とし且つ抽出部側流出口９２を閉状態とする別流路開状態、第２設定圧力以上第３設定圧力未満のときは別流路側流出口９３を閉状態とし且つ抽出部側流出口９２を閉状態とする全閉状態に切替わる。従って、加熱運転の開始から終了までの間に、加熱未完了液体である加熱未完了水（目標加熱温度（所定の抽出温度）にまで加熱される前の比較的低温（例えば、４０℃〜８５℃未満程度）の水）の略全量を、湯沸し部１２側から別流路側流出口９３側に通流させ戻り流路９４に通流させることができ、この戻り流路９４が、別流路側流出口９３と、送液路６におけるタンク８とポンプ１１との間とを接続しているので、加熱未完了水を戻り流路９４を介してタンク８とポンプ１１との間の送液路６に還流させることができる。加えて、加熱運転の終了時には、弁機構９０は既に全閉状態に移行しているので、加熱完了液体である加熱完了水（目標加熱温度（所定の抽出温度）にまで加熱された高温（例えば、８９℃程度）の水）が戻り流路９４に通流することが良好に防止されている。
次に、加熱運転の終了と同時或いは所定の時間の経過後、送出運転が開始されポンプ１１が作動すると、第２設定圧力以上第３設定圧力未満の圧力から圧力が上昇して第３設定圧力以上となったときは、別流路側流出口９３を閉状態とし且つ抽出部側流出口９２を開状態とする抽出部開状態に切替わり、加熱完了水を、湯沸し部１２側から抽出部側流出口９２側に通流させ送液路６の抽出部２側に通流させることができ、抽出部２に供給された高温の加熱完了水により抽出部２にてコーヒーを抽出することができる。
一方で、例えば、上述の別実施形態（Ｂ）において、目標加熱温度（所定の抽出温度）と、第１設定温度、第２設定温度及び第３設定温度との関係を、適宜変更することもできる。
【００８２】
（Ｄ）上記の実施形態において、弁機構９０として電磁弁等を採用し、制御部２４が電磁弁の上流側の温度又は圧力に応じて、電磁弁の開閉状態を切替えるように構成することもできる。
【００８３】
（Ｅ）上記の実施形態では、タンク８を装置本体１に着脱自在に構成したが、タンク８を装置本体１のタンク受け１７に固定した状態で設けた構成とすることもできる。
【００８４】
（Ｆ）上記の実施形態では、戻り流路９４の一端側を、送液路６におけるタンク８とポンプ１１との間におけるタンク受け１７の下部に接続する構成としたが、送液路６におけるタンク８とポンプ１１との間であれば、戻り流路９４の一端側を接続する箇所は適宜の位置に設定することができる。例えば、タンク受け１７の側部や上部、或いは、タンク受け１７よりも下流側（ポンプ１１側）の送液路６に接続する構成とすることもできる。
【００８５】
（Ｇ）上記の実施形態では、操作部２５に水充填スイッチと抽出スイッチとを別々に設けたが、水充填スイッチを省略してもよい。この場合、例えば、コーヒーメーカの出荷後、初めて電源スイッチが押されるのに次いで、抽出スイッチが初めて押されたときに水充填運転を実行し、以降、抽出スイッチが押されると抽出運転を実行するように構成する。つまり、水充填運転を１回実行すると、以降の抽出運転時には、湯沸し部１２の加熱容器１３には水が満たされているので、水充填運転は、コーヒーメーカを始めて使用するときに１回だけ実行するように構成することもできる。
【００８６】
（Ｈ）上記の実施形態では、ポッドホルダＨをホルダ本体４０とポッド受部材４８とを別体で備えるように構成したが、一体として構成しても良い。
更に、上記の実施形態では、ポッドホルダＨを抽出室３内に着脱自在としたが、ポッドホルダＨをネジにより抽出室３内に固定する構成としても良く、あるいは、ポッドホルダＨを抽出部基体５０に一体的に構成しても良い。
【００８７】
（Ｉ）上記の実施形態では、コーヒー粉Ｑをフィルターペーパに詰めたカフェポッドＭをポッドホルダＨに載置する構成としたが、コーヒー粉ＱをそのままポッドホルダＨに載置する構成としても良い。あるいは、カフェポッドＭをポッドホルダＨに載置する使用形態と、コーヒー粉ＱをそのままポッドホルダＨに載置する使用形態の両方が可能な構成としても良い。
【００８８】
（Ｊ）上記の実施形態では、コーヒーを抽出するコーヒーメーカに本発明を適用する場合について説明したが、本発明を適用可能な飲料抽出機の具体例は、コーヒーメーカに限定されるものではなく、紅茶を抽出するもの等、種々の飲料抽出機が挙げられる。
【００８９】
なお、上記の実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００９０】
以上説明したように、加熱未完了液体が抽出部に供給されるのを防止しながら、加熱未完了液体、高温の液体及び蒸気が戻り流路を介して還流しても、使用者の負傷や機器等の破損を良好に防止し得る飲料抽出機及び飲料抽出機の運転方法を提供することができる。
【符号の説明】
【００９１】
１      装置本体（本体）
１Ａ    タンク載せ台
２      抽出部
４      開口部
５      蓋体
６      送液路
８      タンク（貯留タンク）
８Ｃ    タンク側連結部
１１    ポンプ（送液ポンプ）
１２    湯沸し部（加熱部）
１７    タンク受け（タンク受け部）
２４    制御部
５５    窪み開口部（開口部）
９０    弁機構
９１    流入口
９２    抽出部側流出口
９３    別流路側流出口
９３ａ  第１別流路側流出口（別流路側流出口）
９３ｂ  第２別流路側流出口（別流路側流出口）
９４    戻り流路（別の流路）
Ｑ      コーヒー粉（被抽出材料）
【図１】
2014061086.tif 000003
【図２】
2014061086.tif 000004
【図３】
2014061086.tif 000005
【図４】
2014061086.tif 000006
【図５】
2014061086.tif 000007
【図６】
2014061086.tif 000008
【図７】
2014061086.tif 000009
【図８】
2014061086.tif 000010
【図９】
2014061086.tif 000011